(57)【要約】
【課題】　ネットワークケーブルの提供。
【解決手段】　本考案によるネットワークケーブルは、それ自身が外部より作業電源を取得でき、内部に設けられた制御回路が伝送状態を検出並びに表示し、コンピュータネットワークの架設、修理及び維持、故障の排除に便利とされている。
【選択図】　　　　図５
0003099379.tif 000002
【実用新案登録請求の範囲】
【請求項１】
　ネットワークケーブルにおいて、透明なケースを具えたコネクタが二端に設けられたケーブルを具え、各コネクタより制御線が延伸され、各制御線がアダプタに接続され、各アダプタの二端に雌型コネクタと雄型コネクタが設けられ、各アダプタの内部に制御回路が設けられ、各アダプタの内部に発光ダイオードが設けられたことを特徴とする、ネットワークケーブル。
【考案の詳細な説明】
【技術分野】
【０００１】
　本考案は一種のネットワークケーブルに係り、特に、作業電源に外接され、内部に置かれた制御回路により運転状態を検出し表示でき、コンピュータネットワークの架設、修理と維持、及び故障排除に便利なネットワークケーブルに関する。
【背景技術】
【０００２】
　図１、２は周知のコンピュータとネットワークケーブル、ネットワークケーブルとハブの接続を示す。図示されるように、コンピュータネットワークの架設は、コンピュータ内部に設けられたネットワークカードとそれに外接されたハブ１２により、ネットワークケーブル１６を介して複数のコンピュータが連接されてなる。具体的な構造上は、ハブ１２の提供する複数のソケット１４に、ネットワークケーブル１６の二端のコネクタ１８の挿入が組み合わされ、これにより複数台のコンピュータ１０が連接されたネットワーク形態が形成される。
【０００３】
　前述のネットワークケーブル１６はコンピュータとコンピュータ、コンピュータとサーーバー或いはモデムの信号伝送を提供し、それ自身にはネットワークケーブル１６が正常か否か、或いはデータの伝送状態を検出或いは表示する機能がなく、ゆえにネットワークケーブル１６に異常が発生したり或いは内部の回路が切断された時、複雑で且つ多段連接のネットワークにあって、検査修理、故障排除は困難で手間のかかる作業と検査が必要であり、多くの時間をかけても解決できない場合がある。
【０００４】
　また、ネットワークケーブル１６は僅かに信号を伝送するだけで、大きな電圧と電流を伝送せず、且つコンピュータネットワークは多段ネットワークケーブル１６が直列に接続或いは並列に接続されて構成されている。しかし、複数組或いは直列或いは並列に接続されたネットワークケーブル１６が接続されたネットワーク構造中にあって、各ネットワークケーブル１６が独立した状態のセルフ検出と表示の機能を有するようにし、且つ必要な作業電源を獲得できるようにする技術は未だ開発されていない。
【考案の開示】
【考案が解決しようとする課題】
【０００５】
　本考案の主要な目的は、独立したネットワークケーブルにおいて、外接電源を取得できるようにし、並びに制御回路と発光ダイオードを組み合わせて、信号伝送、回路の正常と不正常の検出と表示が行なえるようにし、後日の修理維持、故障排除に便利とすることにある。
【０００６】
　本考案の次の目的は、ネットワークケーブルの作用と効果を向上し、この構造、形態の改良を、信号伝送技術例えば通信、オーディオビデオシステムに応用できるようにすることにある。
【課題を解決するための手段】
【０００７】
　請求項１の考案は、ネットワークケーブルにおいて、透明なケースを具えたコネクタが二端に設けられたケーブルを具え、各コネクタより制御線が延伸され、各制御線がアダプタに接続され、各アダプタの二端に雌型コネクタと雄型コネクタが設けられ、各アダプタの内部に制御回路が設けられ、各アダプタの内部に発光ダイオードが設けられたことを特徴とする、ネットワークケーブルとしている。
【考案の効果】
【０００８】
　本考案によるネットワークケーブルは、それ自身が外部より作業電源を取得でき、内部に設けられた制御回路が伝送状態を検出並びに表示し、コンピュータネットワークの架設、修理及び維持、故障の排除に便利である。
【考案を実施するための最良の形態】
【０００９】
　本考案は適当な長さのネットワークケーブルにあって、その二端に透明ケースを具えたコネクタを設け、且つ各コネクタより別に制御線を延伸させ、各制御線をアダプタと連接させ、各アダプタヘッドの二端にそれぞれ雌型コネクタと雄型コネクタを設け、そのうち、各アダプタヘッドの内部に制御回路を設け、各コネクタの内部に発光ダイオードを設ける。これにより、該ネットワークケーブル自身が外接された作業電源を取得できるようにし、内部に置かれた制御回路が独立して伝送状態を検出及び表示できるようにし、コンピュータネットワークの架設、修理維持、故障排除に便利とする。
【実施例１】
【００１０】
　図３、４は本考案のネットワークケーブル及びその一端の内部構造の表示図である。図示されるように、該ネットワークケーブル２０は適当な長さのケーブル２１を具え、並びに二端に透明ケースを具えたコネクタ２２が設けられ、該コネクタ２２より別に制御線２４が延伸され、各制御線２４がアダプタ２５に連接され、各アダプタ２５の二端に雌型コネクタ２６と雄型コネクタ２７が連接されている。各アダプタ２５の内部に制御回路２８が設けられ、各コネクタ２２の内部に発光ダイオード２３が設けられている。
【００１１】
　図５は本考案のネットワークケーブルとハブの連接の表示図である。図示される実施例では、ネットワークケーブルは、ケーブル２１でＵＳＢ形態のアダプタ２５に結合されている。アダプタ２５はＣＯＭＭＯＮ　ＰＯＲＴ　或いはＰＳ２（登録商標）ポート或いはコンピュータ周辺のハブ形態構造のアダプタとされうる。
【００１２】
　前述のＵＳＢポート形態のアダプタ２５は、雌型コネクタ２６と雄型コネクタ２７を具え、それはケーブル２１が実施するコンピュータネットワークの連接に供される。ケーブル２１の一端のコネクタ２２はコンピュータのネットワークカードの接続ポートに挿入され、該アダプタ２５の雄型コネクタ２７はＵＳＢポートに接続され、ケーブル２１の別端のコネクタ２２はハブ１２のソケット１４に挿入される。
【００１３】
　前述のアダプタ２５はコンピュータのＵＳＢに接続され、その目的は、該ＵＳＢの提供する電源を取得し、アダプタ２５内部の制御回路２８の作業電源とすることにある。該制御回路２８は制御線２４を介してケーブル２１に対する検出を行ない、並びに二端のコネクタ２２内部の発光ダイオード２３を駆動し、検出した状態を明確の表示させる。ケーブル２１の接続が正常であれば、点灯状態の表示を保持する。反対に、ケーブル２１の接続に異常或いは切断の状況があると、発光ダイオード２３が不点灯状態の表示を行なう。ケーブル２１が信号を伝送する時、制御回路２８が検出し並びに発光ダイオード２３がフラッシュ発光表示を行なう（図６）。
【００１４】
　また、前述のアダプタ２５は雌型コネクタ２６と雄型コネクタ２７を具えた構造とされ、その目的は、もう一つのネットワークケーブルとハブ１２を介して接続される時、二本の独立したネットワークケーブルのアダプタ２５が相互に連接され、これによりもう一つの制御回路２８の作業電源を取得することにある。これから分かるように、二本のネットワークケーブルのケーブル２１はハブ１２を介して接続され、且つ対応接続端の二つのアダプタ２５が相互に連接され、この二本のネットワークケーブルがそれぞれ独立してケーブル２１の回路、信号伝送に対して検出し、相互に干渉し影響を及ぼすことがないものとしている。
【００１５】
　前述した本考案の改良は、ネットワークケーブルの接続と信号伝送が正常であるか否かを検出し並びに状態を表示し、これによりネットワークの架設或いは後日の故障修理の判断と検査に供するようにしたことにある。本来、ネットワークケーブルは信号の伝送のみを行ない、自身には大きな電圧、電流がないため、電源を外接しなければ制御回路２８と発光ダイオード２３を起動することはできない。このため、本考案ではアダプタ２５によりコンピュータ内部の提供する電源を取得し、作業電源の取得を達成している。本考案は例えば信号伝送のコンピュータネットワーク、オーディオビデオ回路、通信回路或いはその他のネットワーク形態において、ケーブル或いはその他の回路に使用される。特に伝送回路が正常であるか否か或いは伝送状態の検出と表示のいずれにも本考案の設計を採用できる。
【００１６】
　前述したように、本考案は改良性と実用性を具備し、並びに産業上の利用価値を具えている。
【図面の簡単な説明】
【００１７】
【図１】周知のコンピュータとネットワークケーブルの接続の表示図である。
【図２】周知のネットワークケーブルとハブの接続の表示図である。
【図３】本考案のネットワークケーブルの表示図である。
【図４】本考案のネットワークケーブルの一端の内部構造表示図である。
【図５】本考案のネットワークケーブルとハブの接続の表示図である。
【図６】図５の使用状態表示図である。
【符号の説明】
【００１８】
１０　コンピュータ　　　　　１２　ハブ　　　　　　　１４　ソケット
１６　ネットワークケーブル　１８　コネクタ　　　　　２０　ネットワークケーブル
２１　ケーブル　　　　　　　２２　コネクタ　　　　　２３　発光ダイオード
２４　制御線　　　　　　　　２５　アダプタ　　　　　２６　雌型コネクタ
２７　雄型コネクタ
【図１】
0003099379.tif 000003
【図２】
0003099379.tif 000004
【図３】
0003099379.tif 000005
【図４】
0003099379.tif 000006
【図５】
0003099379.tif 000007
【図６】
0003099379.tif 000008